(57)【特許請求の範囲】
【請求項１】
上顎歯列模型の各臼歯部の調整を行う際に用いられる上顎歯列模型調整器であって、
上顎歯列模型の歯列に沿う縁部と、
該縁部に形成され、前記上顎歯列模型の左右いずれか側の各臼歯部の舌側咬頭の内面を所定の傾きにて規制する第１基準面と、
前記縁部に形成され、前記上顎模型の他方側の各臼歯部の舌側咬頭の内面を所定の傾きにて規制する第２基準面とを有する上顎歯列模型調整器。
【請求項２】
前記第１基準面と前記第２基準面とは、左右の対応する臼歯部を垂直に通る断面において同一円に接するように形成されている請求項１記載の上顎歯列模型調整器。
【請求項３】
下顎歯列模型の各臼歯部の調整を行う際に用いられる下顎歯列模型調整器であって、
下顎歯列模型の歯列に沿う縁部と、
該縁部に形成され、下顎歯列模型の左右いずれか側の各臼歯部の頬側咬頭の内面を所定の傾きにて規制する第１基準面と、
前記縁部に形成され、前記下顎歯列模型の他方側の各臼歯部の頬側内面を所定の傾きにて規制する第２基準面とを有する下顎歯列模型調整器。
【請求項４】
前記第１基準面と前記第２基準面とは、左右の対応する臼歯部を垂直に通る断面において同一円に接するように形成されている請求項３記載の下顎歯列模型調整器。
【発明の詳細な説明】
【技術分野】
【０００１】
本発明は、歯科医療患者の上顎や下顎の補綴物や義歯を製作する際に咬合器と共に用いられる歯列模型調節器に関する。
【背景技術】
【０００２】
上顎と下顎との適正な咬合が得られるように上顎歯列模型において歯科用補綴物や義歯の構築や調整がなされる。その際に、咬合器と共に上顎歯列模型調節器が用いられる。本特許出願の発明者は、既に、上顎歯列模型調整器を提案している（特許文献１参照）。この上顎歯列調整器は、上顎歯列模型が載置される面が球状凹面となった基準板を備えた構造となっている。このような上顎歯列調整器を利用することにより、人の上顎の歯列と同様、ある種の彎曲面（例えば、Spee彎曲やWilson 彎曲）に沿って配列されるべき上顎歯列模型における補綴物や義歯の構築や診断等を前記球状凹面を基準にして行なうことができるようになるので、下顎運動において臼歯部等に有害な側方圧がかからないように、上顎歯列模型の補綴物や義歯に対応した部分を容易に構築することができ、また、その適正な判断等を容易に行なうことができるようになる。
【先行技術文献】
【特許文献】
【０００３】
【特許文献１】特許第４４６８２４７号公報
【発明の概要】
【発明が解決しようとする課題】
【０００４】
ところで、前述したように上顎歯列模型が載置される面が球状凹面となった基準板を備えた従来の上顎歯列模型調整器は、上顎歯列模型において人の理想的な歯列が再現されるように義歯等を配列することを支援するものである。しかしながら、義歯等が理想的に配列されたとしても、その各義歯等が下顎の対応する義歯等に適切に咬み合うようになっているかは保証できていない。そのため、その咬み合わせを適切にするための調整作業が技工士や歯科医師の経験に頼らざるをえなかった。
【０００５】
本発明は、このような事情に鑑みてなされたもので、上顎や下顎の歯列模型における特に臼歯に対応した補綴物や義歯を適切な咬み合わせとなるように配列することを容易に行い得る歯列模型調整器を提供するものである。
【課題を解決するための手段】
【０００６】
本発明に係る上顎歯列模型調整器は、上顎歯列模型の各臼歯部の調整を行う際に用いられる上顎歯列模型調整器であって、上顎歯列模型の歯列に沿う縁部と、該縁部に形成され、前記上顎歯列模型の左右いずれか側の各臼歯部の舌側咬頭の内面を所定の傾きにて規制する第１基準面と、前記縁部に形成され、前記上顎模型の他方側の各臼歯部の舌側咬頭の内面を所定の傾きにて規制する第２基準面とを有する構成となる。
【０００７】
このような構成により、上顎歯列模型の歯列を上顎歯列模型調整器の縁部に沿うようにセットした状態で、左右のうちの一方側の各臼歯部の舌側咬頭内面が第１基準面に適正に接するように当該各臼歯部の舌側咬頭内面の傾きの調整を行い、また、他方側の各臼歯部の舌側咬頭の内面が第２基準面に適切に接するように当該各臼歯部の舌側咬頭内面の傾きの調整を行うことにより、上顎歯列模型における左右の各臼歯部の舌側咬頭の内面が第１基準面及び第２基準面により規制される傾きに調整されるようになる。
【０００８】
咀嚼運動においては、下顎が移動して下顎の各臼歯における頬側咬頭内面が上顎の対応する臼歯における舌側咬頭内面に押し当てられるようにして食物をすりつぶすようになる。このような咀嚼運動における下顎の各臼歯と上顎の対応する臼歯との咬合を想定して、上顎歯列模型調整器における第１基準面及び第２基準面を適正に設定することにより、下顎の各臼歯の頬側咬頭の内面と接触して咀嚼時の圧力を受けるべき上顎歯列模型における各臼歯部の舌側咬頭の内面の傾きを適正なものとすることができる。
【０００９】
本発明に係る上顎歯列模型調整器において、前記第１基準面と前記第２基準面とは、左右の対応する臼歯部を垂直に通る断面において同一円に接するように形成されている構成とすることができる。
【００１０】
このような構成により、左右の対応する各臼歯部を垂直に通る断面において左右各臼歯部の舌側咬頭内面が同一の円に接するような傾きに調整することができる。
【００１１】
また、本発明に係る上顎歯列模型調整器において、前記第１基準面及び第２基準面のそれぞれは、上顎の臼歯に咬み合う下顎の対応する臼歯の頬側咬頭の内面を模している構成とすることができる。
【００１２】
このような構成により、上顎歯列模型において左右各臼歯部の舌側咬頭内面を第１基準面及び第２基準面に適正に接するように調整することにより、左右各臼歯部が下顎の対応する臼歯部の頬側咬頭内面に接するように調整され得る。
【００１３】
本発明に係る下顎歯列模型調整器において、下顎歯列模型の各臼歯部の調整を行う際に用いられる下顎歯列模型調整器であって、下顎歯列模型の歯列に沿う縁部と、該縁部に形成され、下顎歯列模型の左右いずれか側の各臼歯部の頬側咬頭の内面を所定の傾きにて規制する第１基準面と、前記縁部に形成され、前記下顎歯列模型の他方側の各臼歯部の頬側内面を所定の傾きにて規制する第２基準面とを有する構成となる。
【００１４】
このような構成により、下顎歯列模型の歯列を下顎歯列模型調整器の縁部に沿うようにセットした状態で、左右のうちの一方側の各臼歯部の頬側咬頭内面が第１基準面に適正に接するように当該各臼歯部の頬側咬頭内面の傾きの調整を行い、また、他方側の各臼歯部の頬側咬頭の内面が第２基準面に適切に接するように当該各臼歯部の頬側咬頭内面の傾きの調整を行うことにより、下顎歯列模型の左右の各臼歯部の頬側咬頭の内面が第１基準面及び第２基準面により規制される傾きに調整されるようになる。
【００１５】
前述したような下顎の移動による咀嚼運動における当該下顎の各臼歯と上顎の対応する臼歯との咬合を想定して、下顎歯列模型調整器における第１基準面及び第２基準面を適正に設定することにより、咀嚼時に上顎の臼歯の舌側咬頭の内面に押し付けられるべき下顎歯列模型における各臼歯部の頬側咬頭の内面の傾きを適正なものとすることができる。
【００１６】
本発明に係る下顎歯列模型調整器において、前記第１基準面と前記第２基準面とは、左右の対応する臼歯部を垂直に通る断面において同一円に接するように形成されている構成とすることができる。
【００１７】
このような構成により、左右の対応する各臼歯部を垂直に通る断面において左右各臼歯部の頬側咬頭内面が同一の円に接するような傾きに調整することができる。
【００１８】
また、本発明に係る下顎歯列模型調整器において、前記第１基準面及び第２基準面のそれぞれは、下顎の臼歯に咬み合う上顎の対応する臼歯の舌側咬頭の内面を模している構成とすることができる。
【００１９】
このような構成により、下顎歯列模型における左右各臼歯部の頬側咬頭内面を第１基準面及び第２基準面に適正に接するように調整することにより、左右各臼歯部が上顎の対応する臼歯部の舌側咬頭内面に接するように調整され得る。
【発明の効果】
【００２０】
本発明に係る上顎歯列模型調整器によれば、上顎歯列模型における左右の各臼歯部の舌側咬頭の内面が第１基準面及び第２基準面により規制される傾きに調整されるようになるので、上記第１基準面及び第２基準面を適正に設定することにより、上顎歯列模型における特に臼歯に対応した補綴物や義歯を下顎側の対応する臼歯に対して適切な咬み合わせとなるように配列することを容易に行い得るようになる。
【００２１】
また、本発明に係る下顎歯列模型調整器によれば、下顎歯列模型の左右の各臼歯部の頬側咬頭の内面が第１基準面及び第２基準面により規制される傾きに調整されるようになるので、上記第１基準面及び第２基準面を適正に設定することにより、下顎歯列模型における特に臼歯に対応した補綴物や義歯を上顎側の対応する臼歯に対して適切な咬み合わせとなるように配列することを容易に行い得るようになる。
【図面の簡単な説明】
【００２２】
【図１】本発明の実施の形態に係る上顎歯列模型調整器が咬合器に装着された状態（その１）を示す斜視図である。
【図２】本発明の実施の形態に係る上顎歯列模型調整器が咬合器に装着された状態（その２）を示す斜視図である。
【図３】上顎歯列模型の一例を示す平面図である。
【図４】上顎歯列模型の右側第２大臼歯部が上顎歯列模型調整器にて調整されている状態を示す断面図である。
【図５】上顎歯列模型調整器における第１基準面と第２基準面とを説明するための図である。
【図６】人の上顎臼歯と下顎臼歯との咬合の状態を示す図である。
【図７】本発明の実施の形態に係る下顎歯列模型調整器が咬合器に装着された状態（その１）を示す斜視図である。
【図８】本発明の実施の形態に係る下顎歯列模型調整器が咬合器に装着された状態（その２）を示す斜視図である。
【図９】下顎歯列模型の一例を示す図である。
【図１０】下顎歯列模型の右側第２大臼歯部が下顎歯列模型調整器にて調整されている状態を示す断面図である。
【図１１】下顎歯列模型調整器における第１基準面と第２基準面とを説明するための図である。
【発明を実施するための形態】
【００２３】
本発明の実施の一形態に係る上顎歯列模型調整器は、図１及び図２に示すように、咬合器に装着して使用される。
【００２４】
図１及び図２において、咬合器１００は、支柱１１０ａ、１１０ｂの下端部に一体的に形成された略Ｔ字状の下弓１２０と、支柱１１０ａ、１１０ｂの上端部に軸１１１を中心に回動自在となるように支持された略Ｔ字状の上弓１３０とが対向する構造となっている。上弓１３０の先端部には鉛直方向に延びるインサイザルピン１３３が装着され、インサイザルピン１３３の先端が下弓１２０の先端部に設けられた受け部１２１に当接するようになっている。インサイザルピン１３３の上弓１３０への固定位置を調整することにより、上弓１３０の下弓１２０に対する角度を調整することができる。上弓１３０の内面に調整の対象となる上顎歯列模型５０の固定されたマウント部５５が固定ネジ１３２によって着脱自在に固定される。下弓１２０の内面に上顎歯列模型調整器１０の固定されたマウント部１５が固定ネジ１２２によって着脱自在に固定される。
【００２５】
上顎歯列模型５０では、例えば、図３に示すように、歯部がアーチ状に配列されている。特に正中線Ｌｃの右側において、第１小臼歯部ＰＭR1、第２小臼歯部ＰＭR2、第１大臼歯部ＭR1及び第２大臼歯部ＭR2が前歯側から奥に向けて広がるように配列され、正中線Ｌｃの左側において、第１小臼歯部ＰＭL1、第２小臼歯部ＰＭL2、第１大臼歯部ＭL1及び第２大臼歯部ＭL2が右側と同様に前歯側から奥に向けて広がるように配列されている。これら、右側の臼歯部ＰＭR1、ＰＭR2、ＭR1、ＭR2及び左側の臼歯部ＰＭL1、ＰＭL2、ＭL1、ＭL2が上顎歯列模型調整器１０での具体的な調整の対象である。
【００２６】
上顎歯列模型５０における歯部のアーチ状の配列は、本願発明者が特許第４４６８２４７号で提案している咬合調整彎曲板により既に調整されている。それにより、右側第１小臼歯部ＰＭR1と左側第２大臼歯部ＭL2とを結ぶ直線Ｌ１と、左側第１小臼歯部ＰＭL1と右側第２大臼歯部ＭR2とを結ぶ直線Ｌ２とが正中線Ｌｃ上で交差する。その交点Ｐが顎運動の合理的な基準点とみなし得る点として本願発明者が提唱した「咬合原点」に対応した点である（特許第４４６８２４７号公報参照）。
【００２７】
咬合器１００の下弓１２０にマウント部１５を介して固定される上顎歯列模型調整器１０は、金属、樹脂等の材料で形成されており、上面１２が縁部１１から内方に向かって低くなる凹状形状となっている。縁部１１は、上顎歯列模型５０におけるアーチ状の歯列（図３参照）に沿うようにアーチ状に彎曲した形状に形成されている。そして、縁部１１の内側所定部位には、右側の各臼歯部ＰＭR1、ＰＭR2、ＭR1、ＭR2に対応した右側臼歯調整部１３が形成され、左側の各臼歯部ＰＭL1、ＰＭL2、ＭL1、ＭL2に対応した左側臼歯調整部１４が形成されている。
【００２８】
右側臼歯調整部１３には、上顎歯列模型５０における右側の各臼歯部ＰＭR1、ＰＭR2、ＭR1及びＭR2の舌側咬頭（機能咬頭）の内面にあてがわれて当該舌側咬頭の内面を所定の傾きにて規制する第１基準面１３ａが形成されている。例えば、右側臼歯調整部１３の第２大臼歯部ＭR2（ＵＪ：上顎側を意味する。以下、下顎側と区別する場合に用いる。）に対応する部分では、図４に示すように、第１基準面１３ａは、上顎の第２大臼歯に咬み合う下顎側の第２大臼歯ＭR2（ＬＪ：下顎側を意味する。以下、上顎側と区別する場合に用いる）の頬側咬頭ＦＣ１（ＬＪ）（機能咬頭）の内面に対応した平面ＰＬRと同じ傾きとなっている。従って、右側臼歯調整部１３の第２大臼歯部ＭR2（ＵＪ）に対応する部分では、第１基準面１３ａが第２大臼歯部ＭR2（ＵＪ）の舌側咬頭ＦＣ２（ＵＪ）の内面にあてがわれてその舌側咬頭ＦＣ２（ＵＪ）の内面を下顎の対応する第２大臼歯ＭR2の頬側咬頭ＦＣ１（ＬＪ）の内面の傾きに規制する。右側臼歯調整部１３の他の臼歯部ＭR1、ＰＭR2、ＰＭR1に対応する部分についても、同様に、第１基準面１３ａがその臼歯部の舌側咬頭の内面を下顎の対応する臼歯の頬側咬頭の内面の傾きに規制する。
【００２９】
また、左側臼歯調整部１４にも、右側臼歯調整部１３と同様に、上顎歯列模型５０における左側の各臼歯部ＰＭL1、ＰＭL2、ＭL1、ＭL2の舌側咬頭にあてがわれて当該舌側咬頭の内面を所定の傾き、具体的には、下顎の対応する臼歯の頬側咬頭の内面に対応する平面ＰＬLと同じ傾きに規制する第２基準面１４ａが形成されている。そして、右側臼歯調整部１３の第１基準面１３ａと、左側臼歯調整部１４の第２基準面１４ａとは、左右の対応する臼歯部を垂直に通る断面において同一円に接するように形成されている。例えば、図５に示すように、左右の第２大臼歯部ＭR2（ＵＪ）、ＭL2（ＵＪ）を垂直に通る断面において、第１基準面１３ａ（平面ＰＬR）と、第２基準面１４ａ（平面ＰＬL）とが、左右の中心（上顎歯列模型５０における正中線Ｌｃに対応）から鉛直に延びる線上に中心を有する同一円Ｃ１に接するように形成されている。そして、前側の臼歯部になるほど、即ち、第１小臼歯部ＰＭR1、ＰＭL1に近づくほど、それらを垂直に通る断面において、第１基準面１３ａ（平面ＰＬR）と第２基準面１４ａ（平面ＰＬL）とが接する円は小さくなる。
【００３０】
右臼歯調整部１３及び左臼歯調整部１４における上述した第１基準面１３ａ及び第２基準面１４ａの傾き（図４参照）、及び第１基準面１３ａと第２基準面１４ａとの関係（図５参照）は、本願発明者の次のような考察に基づくものである。
【００３１】
図６に示すように、人間の上顎歯牙列は、ある種の彎曲面（球面）Ｃｏに沿って配列されるべきであるという考えのもとに、上顎歯列模型５０における歯部のアーチ状の配列（図３参照）が、特許第４４６８２４７号で提案された咬合調整彎曲板により調整された。また、咀嚼運動において、下顎が移動して下顎の各臼歯における頬側咬頭内面が上顎の対応する臼歯にける舌側咬頭内面に押し当てられるようにして食物をすりつぶすようになる。このような咀嚼運動における下顎の各臼歯と上顎の対応する臼歯との咬合を想定することにより、上顎歯列模型５０の各臼歯の舌側咬頭内面の傾きを規制すべき前記第１基準面１３ａと第２基準面１４ａの傾きは、下顎の臼歯における頬側咬頭内面ＰＬR、ＰＬLの傾きに設定される（図４参照）。
【００３２】
また、図６に示すように、上顎の各歯牙が球面Ｃｏ（特許第４４６８２４７号で提案している咬合調整彎曲板の内面）上に配列されるモデルにおいて、左右における上顎及び下顎の対応する臼歯の咬合が、左右対称的に同一円Ｃ１に接する面（真の咬合面）にてなされることを考慮して、上顎歯列模型５０の左右の対応する臼歯を垂直に通る断面において、前述した第１基準面１３ａ（平面ＰＬR）と、第２基準面１４ａ（平面ＰＬL）とが、左右の中心から鉛直に延びる線上に中心を有する同一円Ｃ１に接するようにしている。
【００３３】
上述した上顎歯列模型調整器１０を用いて上顎歯列模型５０の各臼歯を次のようにして調整することができる。
【００３４】
咬合器１００の上弓１３０に装着された上顎歯列模型５０の歯列を下弓１２０に装着された上顎歯列模型調整器１０の縁部１１に沿うようにセットした状態で、右側の各臼歯部ＭR2、ＭR1、ＰＭR2、ＰＭR1の舌側咬頭ＦＣ２（ＵＪ）の内面に第１基準面１３ａをあてがってその舌側咬頭ＦＣ２（ＵＪ）内面が第１基準面１３ａに適正に接するように各臼歯部ＭR2、ＭR1、ＰＭR2、ＰＭR1の舌側咬頭ＦＣ２（ＵＪ）の内面の傾きの調整を行う（図４参照）。この舌側咬頭ＦＣ２（ＵＪ）の傾きの調整は、例えば、臼歯部自体の傾きの調整や舌側咬頭ＦＣ２（ＵＪ）の内面を削ることにより行うことができる。また、右側の各臼歯部ＭL2、ＭL1、ＰＭL2、ＰＭL1についても同様に、舌側咬頭ＦＣ２（ＵＪ）の内面に左側臼歯調整部１４の第２基準面１４ａをあてがってその舌側咬頭ＦＣ２（ＵＪ）内面が第２基準面１４ａに適正に接するように各臼歯部ＭR2、ＭR1、ＰＭR2、ＰＭR1の舌側咬頭ＦＣ２（ＵＪ）の内面の傾きの調整を行う。
【００３５】
これらにより、上顎歯列模型５０における左右の各臼歯部の舌側咬頭の内面が第１基準面１３ａ及び第２基準面１４ａにより規制される傾きに調整される。そして、第１基準面１３ａ及び第２基準面１４ａの傾きが、下顎の各臼歯の頬側咬頭の内面の傾き（図４、図５におけるＰＬＲ、ＰＬＬ参照）に設定されているので、これら第１基準面１３ａ及び第２基準面１４ａにより舌側咬頭の内面の傾きが調整される上顎歯列模型５０における左右の各臼歯部は、その舌側咬頭が下顎の各臼歯の頬側咬頭の内面と接触して咀嚼時の圧力を適正に受けることができるように調整され得る。従って、上顎歯列模型５０における特に臼歯に対応した補綴物や義歯を下顎側の対応する臼歯に対して適切な咬み合わせとなるように配列することを容易に行い得るようになる。
【００３６】
次に、下顎歯列模型の各臼歯部の調整を行う際に用いられる下顎歯列模型調整器について説明する。本発明の実施の一形態に係る下顎歯列模型調整器は、前述した上顎歯列模型調整器１０（図１及び図２参照）と同様に図７及び図８に示すように、咬合器１００に装着して使用される。具体的には、下弓１２０の内面に調整の対象となる下顎歯列模型６０の固定されたマウント部６５が固定ネジ１３２によって着脱自在に固定され、上弓１３０の内面に下顎歯列模型調整器２０の固定されたマウント部２５が固定ネジ１２２によって着脱自在に固定される。
【００３７】
下顎歯列模型６０では、上顎歯列模型５０（図３参照）と同様に、例えば、図９に示すように、歯部がアーチ状に配列されている。そして、特に正中線Ｌｃの右側において、第１小臼歯部ＰＭR1、第２小臼歯部ＰＭR2、第１大臼歯部ＭR1及び第２大臼歯部ＭR2が前歯側から奥に向けて広がるように配列され、正中線Ｌｃの左側において、第１小臼歯部ＰＭL1、第２小臼歯部ＰＭL2、第１大臼歯部ＭL1及び第２大臼歯部ＭL2が右側と同様に前歯側から奥に向けて広がるように配列されている。下顎歯列模型６０におけるアーチ状の歯列は、上顎歯列模型５０（図３参照）の歯列に対応するように調整されている。それにより、下顎歯列模型６０においても、上顎歯列模型５０と同様に、右側第１小臼歯部ＰＭR1と左側第２大臼歯部ＭL2とを結ぶ直線Ｌ１と、左側第１小臼歯部ＰＭL1と右側第２大臼歯部ＭR2とを結ぶ直線Ｌ２とが正中線Ｌｃ上で交差する（交点Ｐ）。
【００３８】
咬合器１００の上弓１３０にマウント部２５を介して固定される下顎歯列模型調整器２０は、金属、樹脂等の材料で形成されており、上面２２が縁部２１から内方に向かって低くなる凹状形状となっている。縁部２１は、下顎歯列模型６０におけるアーチ状の歯列（図９参照）に沿うようにアーチ状に彎曲した形状に形成されている。そして、縁部２１の外側所定部位には、右側の各臼歯部ＰＭR1、ＰＭR2、ＭR1、ＭR2に対応した右側臼歯調整部２３が形成され、左側の各臼歯部ＰＭL1、ＰＭL2、ＭL1、ＭL2に対応した左側臼歯調整部２４が形成されている。
【００３９】
右側臼歯調整部２３には、下顎歯列模型６０における右側の各臼歯部ＰＭR1、ＰＭR2、ＭR1及びＭR2の頬側咬頭の内面にあてがわれて当該頬側咬頭の内面を所定の傾きにて規制する第１基準面２３ａが形成されている。例えば、右側臼歯調整部２３の第２大臼歯部ＭR2（ＬＪ）に対応する部分では、図１０に示すように、縁部２１の外側部分に形成された第１基準面２３ａは、下顎の第２大臼歯に咬み合う上顎側の第２大臼歯ＭR2（ＵＪ）の舌側咬頭の内面に対応した平面ＰＬRと同じ傾きとなっている。従って、右側臼歯調整部２３の第２大臼歯部ＭR2（ＬＪ）に対応する部分では、第１基準面２３ａが第２大臼歯部ＭR2（ＬＪ）の頬側咬頭ＦＣ１（ＬＪ）の内面にあてがわれてその頬側咬頭ＦＣ１（ＬＪ）の内面を上顎の対応する第２大臼歯ＭR2の舌側咬頭の内面の傾きに規制する。右側臼歯調整部２３の他の臼歯部ＭR1、ＰＭR2、ＰＭR1に対応する部分についても、同様に、第１基準面２３ａがその臼歯部の頬側咬頭の内面にあてがわれて当該頬側咬頭の内面を上顎の対応する臼歯の舌側咬頭の内面の傾きに規制する。
【００４０】
また、左側臼歯調整部２４にも、右側臼歯調整部２３と同様に、下顎歯列模型６０における左側の各臼歯部ＰＭL1、ＰＭL2、ＭL1、ＭL2の頬側咬頭にあてがわれて当該頬側咬頭の内面を所定の傾き、具体的には、上顎の対応する臼歯の舌側咬頭の内面に対応する平面ＰＬLと同じ傾きに規制する第２基準面２４ａが形成されている。そして、右側臼歯調整部２３の第１基準面２３ａと、左側臼歯調整部２４の第２基準面２４ａとは、左右の対応する臼歯部を垂直に通る断面において同一円に接するように形成されている。例えば、図１１に示すように、左右の第２大臼歯部ＭR2（ＬＪ）、ＭL2（ＬＪ）を垂直に通る断面において、第１基準面２３ａ（平面ＰＬR）と、第２基準面２４ａ（平面ＰＬL）とが、左右の中心（上顎歯列模型５０における正中線Ｌｃに対応）から鉛直に延びる線上に中心を有する同一円Ｃ１に接するように形成されている。そして、前側の臼歯部になるほど、即ち、第１小臼歯部ＰＭR1、ＰＭL1に近づくほど、それらを垂直に通る断面において、第１基準面２３ａ（平面ＰＬR）と第２基準面２４ａ（平面ＰＬL）とが接する円は小さくなる。
【００４１】
右臼歯調整部２３及び左臼歯調整部２４における上述した第１基準面２３ａ及び第２基準面２４ａの傾き（図１０参照）、及び第１基準面２３ａと第２基準面２４ａとの関係（図１１参照）は、上述した本願発明者の考察に基づいて決められた上顎歯列模型調整器１０によって調整される上顎歯列模型５０に下顎歯列模型６０が適正に咬合できるように決められたものである。
【００４２】
上述した下顎歯列模型調整器２０を用いて下顎歯列模型６０各臼歯を次のようにして調整することができる。
【００４３】
咬合器１００の下弓１２０に装着された下顎歯列模型６０の歯列を上弓１３０に装着された下顎歯列模型調整器２０の縁部２１に沿うようにセットした状態で、右側の各臼歯部ＭR2、ＭR1、ＰＭR2、ＰＭR1の頬側咬頭ＦＣ１（ＬＪ）の内面に右側臼歯調整部２３の第１基準面２３ａをあてがってその頬側咬頭ＦＣ１（ＬＪ）内面が第１基準面２３ａに適正に接するように各臼歯部ＭR2、ＭR1、ＰＭR2、ＰＭR1の頬側咬頭ＦＣ１（ＬＪ）の内面の傾きの調整を行う（図１０参照）。この頬側咬頭ＦＣ１（ＬＪ）の傾きの調整は、例えば、臼歯部自体の傾きの調整や頬側咬頭ＦＣ１（ＬＪ）の内面を削ることにより行うことができる。また、右側の各臼歯部ＭL2、ＭL1、ＰＭL2、ＰＭL1についても同様に、頬側咬頭ＦＣ１（ＬＪ）の内面に左側臼歯調整部２４の第２基準面２４ａをあてがってその頬側咬頭ＦＣ１（ＬＪ）内面が第２基準面２４ａに適正に接するように各臼歯部ＭR2、ＭR1、ＰＭR2、ＰＭR1の頬側咬頭ＦＣ１（ＬＪ）の内面の傾きの調整を行う。
【００４４】
これらにより、下顎歯列模型５０における左右の各臼歯部の頬側咬頭の内面が第１基準面２３ａ及び第２基準面２４ａにより規制される傾きに調整される。そして、第１基準面２３ａ及び第２基準面２４ａの傾きが、上顎の各臼歯の舌側咬頭の内面の傾き（図１０、図１１におけるＰＬR、ＰＬL参照）に設定されているので、これら第１基準面２３ａ及び第２基準面２４ａにより頬側咬頭の内面の傾きが調整される下顎歯列模型６０における左右の各臼歯部は、その頬側咬頭が上顎の各臼歯の舌側咬頭の内面と接触して咀嚼時の圧力を適正に受けることができるように調整され得る。従って、下顎歯列模型６０における特に臼歯に対応した補綴物や義歯を上顎側の対応する臼歯に対して適切な咬み合わせとなるように配列することを容易に行い得るようになる。
【産業上の利用可能性】
【００４５】
本発明に係る上顎歯列模型調整器及び下顎歯列模型調整器は、上顎や下顎の歯列模型における特に臼歯に対応した補綴物や義歯を適切な咬み合わせとなるように配列することを容易に行い得るという効果を有し、歯科医療患者の上顎や下顎の補綴物や義歯を製作する際に咬合器と共に用いられる歯列模型調節器として有用である。
【符号の説明】
【００４６】
１０  上顎歯列模型調整器
１１  縁部
１２  上面
１３  右臼歯調整部
１３ａ  第１基準面
１４  左臼歯調整部
１４ａ  第２基準面
２０  下顎歯列模型調整器
２１  縁部
２２  上面
２３  右臼歯調整部
２３ａ  第１基準面
２４  左臼歯調整部
２４ａ  第２基準面
１００  咬合器
【図１】
0005812654.tif 000002
【図２】
0005812654.tif 000003
【図３】
0005812654.tif 000004
【図４】
0005812654.tif 000005
【図５】
0005812654.tif 000006
【図６】
0005812654.tif 000007
【図７】
0005812654.tif 000008
【図８】
0005812654.tif 000009
【図９】
0005812654.tif 000010
【図１０】
0005812654.tif 000011
【図１１】
0005812654.tif 000012